(57)【要約】  棚用モジュール式構造（１）であって、第１連結平面（Ａ）を画定するために一方が他方の上部に配列された少なくとも１対の第１歯（３）を備える複数の鉛直支柱（２）と、幅よりも高さが大きい、実質的に管状で平行六面体形状の断面、並びに隅角部、及び隅角部近傍内に突出して互いに重塁した状態で配列された１対の第１クランプ固定要素（６）を備える２つの終端部分（５）を備える複数の第１金属形材（４）と、を備え、第１クランプ固定要素（６）は、第１連結平面（Ａ）に沿ったいずれか１対の第１歯（３）を係合するためのブロック構成で上部から下部まで結合されるように互いに離間し、それぞれの第１クランプ固定要素（６）は通過スロットを画定するループを備え、第１金属形材（４）の終端部分（５）のそれぞれは、実質的に平坦である。【選択図】図１
2021508305.tif 000002
【特許請求の範囲】
【請求項１】
棚用モジュール式構造（１）であって、
第１連結平面（Ａ）を画定するために一方が他方の上部に配列された少なくとも１対の第１歯（３）を備える複数の鉛直支柱（２）と、
幅よりも高さが大きい、実質的に管状で平行六面体形状の断面、並びに隅角部、及び前記隅角部近傍内に突出して互いに重塁した状態で配列された１対の第１クランプ固定要素（６）を備えた２つの終端部分（５）を備えた複数の第１金属形材（４）と、を備え、
前記第１クランプ固定要素（６）は、前記第１連結平面（Ａ）に沿ったいずれか１対の前記第１歯（３）を係合するためのブロック構成で上部から下部まで結合されるように互いに離間しており、それぞれの前記第１クランプ固定要素（６）は、通過スロットを画定するループを備え、前記第１金属形材（４）の前記終端部分（５）のそれぞれは、実質的に平坦であることを特徴とする、棚用モジュール式構造（１）。
【請求項２】
前記モジュール式構造（１）は、少なくとも１つの第１角形ブラケット（１４）を備え、前記第１角形ブラケット（１４）は、
突出して互いに重塁した状態で配列され、前記第１連結平面（Ａ）に沿ったいずれか１対の前記第１歯（３）を係合するためのブロック構成で上部から下部まで結合されるように互いに離間している１対の第２クランプ固定要素（１６）を備える少なくとも１つの第１平坦端末部分（１５）と、
前記第１連結平面（Ａ）に実質的に直交して第２連結平面（Ｂ）を画定するために一方が他方の上部に配列された１対の第２歯（１８）を備える少なくとも１つの第２平坦端末部分（１７）と、を備え、
前記第１クランプ固定要素（６）は、前記第２連結平面（Ｂ）に沿ったいずれか１対の前記第２歯（１８）を係合するためのブロック構成で上部から下部まで結合されるように構成されていることを特徴とする、請求項１に記載のモジュール式構造（１）。
【請求項３】
前記モジュール式構造（１）は、少なくとも１つの第２角形ブラケット（２０）を備え、前記第２角形ブラケット（２０）は、
前記第１金属形材（４）への取付け手段（２１）であって、それに沿って長手方向に滑動する取付け手段（２１）と、
前記第１連結平面（Ａ）に実質的に直交する第３連結平面（Ｃ）を画定するために一方が他方の上部に配列された１対の第３歯（２２）と、を備え、
前記第１クランプ固定要素（６）は、前記第３連結平面（Ｃ）に沿ったいずれか１対の前記第３歯（２２）を係合するためのブロック構成で上部から下部まで結合されるように構成されていることを特徴とする、請求項１又は２に記載のモジュール式構造（１）。
【請求項４】
前記モジュール式構造（１）は、少なくとも１つの滑動支持（２４）を備え、前記滑動支持（２４）は、
少なくとも１つの被固定要素（２５）と、
対応する１対の前記鉛直支柱（２）への前記被固定要素（２５）の少なくとも１対の取付けブラケット（２６）であって、突出して互いに重畳した状態で配列され、前記第１連結平面（Ａ）に沿ったいずれか１対の前記第１歯（３）を係合するためのブロック構成で上部から下部まで結合されるように互いに離間している少なくとも１対の第３クランプ固定要素（２８）を備える少なくとも１つの平坦端末本体（２７）を備える少なくとも１対の取付けブラケット（２６）と、
前記取付けブラケット（２６）への前記被固定要素（２５）のクランプ固定手段（２９）と、
前記被固定要素（２５）に長手方向に滑動するようにヒンジ接続され、少なくとも１つの支持部材（３１）と関連可能な少なくとも１つの滑動要素（３０）と、を備えることを特徴とする、請求項１〜３のうちいずれか一項に記載のモジュール式構造（１）。
【請求項５】
前記モジュール式構造（１）は、少なくとも１つの安定化バー（３２）を備え、前記安定化バー（３２）は、
幅よりも高さが大きい断面を備える少なくとも１つの第２長手金属形材（３３）と、
少なくとも１対の鉛直ブラケット（３４）であって、前記第２金属形材（３３）の前記終端部分のうちの１つとそれぞれ関連し、これよりも高さが大きく、突出して互いに重塁した状態で配列された複数の第４クランプ固定要素（３５）を有する少なくとも１対の鉛直ブラケット（３４）と、を備え、
前記第４クランプ固定要素（３５）は、前記第１連結平面（Ａ）に沿った複数の前記第１歯（３）を係合するためのブロック構成で上部から下部まで結合されるように互いに離間していることを特徴とする、請求項１〜４のうちいずれか一項に記載のモジュール式構造（１）。
【請求項６】
前記鉛直支柱（２）は、少なくとも１対の第１鉛直面（８）と、前記１対の第１鉛直面（８）を実質的に横断する少なくとも１対の第２鉛直面（９）と、を備える鉛直金属形材（７）を備え、少なくとも１対の前記第１歯（３）は、少なくとも１つの前記第１鉛直面（８）に沿って鉛直方向に配列されていることを特徴とする、請求項１〜５のうちいずれか一項に記載のモジュール式構造（１）。
【請求項７】
前記モジュール式構造（１）は、少なくとも１つの第１ブレース要素（１０）を備え、前記第１ブレース要素（１０）は、
幅よりも高さが大きい断面、及び少なくとも１対の実質的に平坦な終端部分（１２）を備え、前記鉛直金属形材（７）に取付け可能である少なくとも１つの第３長手管状金属形材（１１）と、
前記１対の第２鉛直面（９）への前記終端部分（１２）の第１締結手段（１３）と、を備えることを特徴とする、請求項６に記載のモジュール式構造（１）。
【請求項８】
前記鉛直支柱（２）は、少なくとも１対の第１鉛直面（５１）と、前記１対の第１鉛直面（５１）を実質的に横断する少なくとも１つの第２鉛直面（５２）と、を備える鉛直金属ホイル（５０）を備え、少なくとも１対の前記第１歯（３）は、少なくとも１つの前記第１鉛直面（５１）に沿って鉛直方向に配列されていることを特徴とする、請求項１〜７のうちいずれか一項に記載のモジュール式構造（１）。
【請求項９】
前記モジュール式構造（１）は、少なくとも１つの第２ブレース要素（５３）を備え、前記第２ブレース要素（５３）は、
幅よりも高さが大きい断面、及び前記鉛直金属ホイル（５０）への少なくとも１対の取付け終端部分（５５）を備える少なくとも１つの実質的に平坦な長手金属ホイル（５４）と、
前記第２鉛直面（５２）への前記取付け終端部分（５５）の第２締結手段（５６）と、を備えることを特徴とする、請求項８に記載のモジュール式構造（１）。
【請求項１０】
前記モジュール式構造（１）は、長手腕木（３６）を備え、前記長手腕木（３６）は、
幅よりも高さが大きい断面を有し、前記鉛直支柱（２）のうちの１つと関連可能な１対の最端部分（３８）を備える少なくとも１つの第４金属形材（３７）と、
前記最端部分（３８）のうちの１つの連結部分（４０）、及び突出して互いに重畳した状態で配列された複数の第５クランプ固定要素（４１）を備える少なくとも１つの補強ブラケット（３９）と、を備え、
前記第５クランプ固定要素（４１）は、前記第１連結平面（Ａ）に沿った複数の前記第１歯（３）を係合するためのブロック構成で上部から下部まで結合されるように互いに離間していることを特徴とする、請求項１〜９のうちいずれか一項に記載のモジュール式構造（１）。
【請求項１１】
前記モジュール式構造（１）は、安定支持面上に鉛直金属形材（７）を支持するための少なくとも１つの振動防止基部（４４）を備え、前記振動防止基部（４４）は、
少なくとも１対の鉛直拡張部（４５）であって、それぞれの１つは、突出して互いに重塁した状態で配列された１対の第６クランプ固定要素（４６）を備える、少なくとも１対の鉛直拡張部（４５）と、
少なくとも１つの第１支持部分（４７）と、
前記振動防止基部（４４）を前記鉛直金属形材（７）に接続するための第１接続手段（４８）と、を備え、
前記第６クランプ固定要素（４６）は、前記第１連結平面（Ａ）に沿ったいずれか１対の前記第１歯（３）を係合するためのブロック構成で上部から下部まで結合されるように互いに離間していることを特徴とする、請求項１〜１０のうちいずれか一項に記載のモジュール式構造（１）。
【請求項１２】
前記モジュール式構造（１）は、安定支持面上に鉛直金属ホイル（５０）を支持するための少なくとも１つの支持基部（５７）を備え、前記支持基部（５７）は、
第２鉛直面（５２）に取付け可能な第１長手本体（５９）、及び前記第１長手本体（５９）と関連し、前記安定支持面上で静止するように適合された第１支持本体（６０）を備える第１要素（５８）と、
前記第２鉛直面（５２）に取付け可能な第２長手本体（６２）、及び前記第２長手本体（６２）と関連し、前記安定支持面上で静止するように適合された第２支持本体（６３）を備える第２要素（６１）と、
前記第２鉛直面（５２）への前記第１長手本体（５９）及び前記第２長手本体（６２）のうちの少なくとも１つの第２接続手段（６４）と、を備え、
前記第１支持本体（６０）及び前記第２支持本体（６３）は、前記第１長手本体（５９）及び前記第２長手本体（６２）が前記第２鉛直面（５２）に接続されると、前記安定支持面上で静止することを特徴とする、請求項１〜１１のうちいずれか一項に記載のモジュール式構造（１）。
【請求項１３】
第１長手本体（５９）は、一方が他方の上部に順に配列された複数の第６歯（６５）を備え、第２長手本体（６２）は、突出して互いに重塁した状態で配列され、前記第６歯（６５）を係合するためのブロック構成で結合されるように互いに離間している複数の第７クランプ固定要素（６６）を備え、前記第６歯（６５）が前記第７クランプ固定要素（６６）に結合されると、前記第１長手本体（５９）と前記第２長手本体（６２）とは、第２接続手段（６４）によって１対の第２鉛直面（９）に取り付くための単一の本体を形成し、第１支持本体（６０）と第２支持本体（６３）とは、安定支持面上で静止するための単一の支持本体を形成することを特徴とする、請求項１〜１２のうちいずれか一項に記載のモジュール式構造（１）。
【発明の詳細な説明】
【技術分野】
【０００１】
本発明は、棚用モジュール式構造に関する。
【背景技術】
【０００２】
様々な棚用モジュール式構造が知られており、当該棚用モジュール式構造は、作成された棚についてのアセンブリ技術、構造のモジュール性の程度、及び最大容量が際立っている。
【０００３】
既知のタイプの構造は、安定面上の支持基部としての鉛直支柱、及びその上で複数の水平通路が静止して複数の棚の上部を形成する長手腕木を用いる。
【０００４】
具体的には、鉛直支柱は、支柱の本体自体に沿って、長手方向に次々に配列された複数の歯を備えている。
【０００５】
長手腕木は、２つの終端部分を備え、当該終端部分のそれぞれは、鉛直支柱のいずれか１対の歯を係合するように適合された１対のクランプ固定要素を備え、それで、鉛直支柱と長手方向腕木との間に安定結合が得られる。
【０００６】
有利には、鉛直支柱と長手腕木とが異なる長さの長手金属形材を有することにより、占有されるべき空間及び棚によって支持されるべき荷重に基づいて変化する高さ及び幅の構造を得ることを可能にする。
【０００７】
具体的には、既知のモジュール式構造は、複数の鉛直支柱を用い、当該鉛直支柱は、安定面上で静止して互いに離間した状態で配列されている。
【０００８】
それに加えて、それぞれの対の鉛直支柱の間に、複数の長手腕木が挿入されていることにより、棚の上部に安定した支持構造を提供する。
【０００９】
モジュール式構造を作成するために用いられる鉛直支柱の数は、その長さを実質的に画定し、一方、腕木の数は、構造の鉛直支柱同士の間に配列された上部の数を示している。
【００１０】
既知のタイプの構造は、しかし、可撓性に基づく改善に影響されやすく、当該可撓性によって、モジュール式構造自体は、せいぜい異なる寸法及びニーズを有する空間及び環境を取るように適合するだけである。
【００１１】
例えば、既知のタイプのモジュール式構造は、空間の２つの隣接壁によって形成された角度に適合している角形タイプの安定したモジュール式構造を得ることを許容しない。
【発明の概要】
【発明が解決しようとする課題】
【００１２】
本発明の主な目的は、角形タイプの安定した棚をまた製作することを可能にする棚用モジュール式構造を考案することである。
【００１３】
本発明の別の目的は、ユーザによって動的に動かされてもよい移動式棚を製作することを可能にする棚用モジュール式構造を考案することである。
【００１４】
本発明の更なる目的は、必要に応じて、いくつかの棚を特に補強することによりそれらの容量及び安定性を増加させることを可能にする棚用モジュール式構造を考案することである。
【００１５】
本発明の別の目的は、長さが同じでより大きい容量及び安定性を有する棚、及び容量及び安定性が同じで既知のタイプのものよりも長い棚を製作することを可能にする棚用モジュール式構造を考案することである。
【００１６】
本発明の別の目的は、構造によって保証される占有空間及び最大容量について、異なるニーズに最良に適合する高度なモジュール性を有する棚用モジュール式構造を考案することである。
【課題を解決するための手段】
【００１７】
上記の目的は、請求項１の特徴を有する本棚用モジュール式構造によって達成される。
【００１８】
本発明の別の特徴及び利点は、以下の添付図における暗示的だが非限定的な例によって示された棚用モジュール式構造についての好ましいが排他的でない実施形態の説明からより明白になるであろう。
【図面の簡単な説明】
【００１９】
【図１】本発明に従う棚用モジュール式構造の第１実施形態についての軸測図である。
【図２】本発明に従う棚用モジュール式構造の第１要素についての軸測図である。
【図３】図２の要素についての別の視点からみた軸測図である。
【図４】本発明に従う棚用モジュール式構造の第２要素についての軸測図である。
【図５】図４の要素についての別の視点からみた軸測図である。
【図６】本発明に従うモジュール式構造の第１実施形態の第１部分についての軸測図である。
【図７】図６の部分についての第１分解図の軸測図である。
【図８】図６の部分についての第２分解図の軸測図である。
【図９】本発明に従うモジュール式構造の第２実施形態についての軸測図である。
【図１０】更なる要素を有する、本発明に従うモジュール式構造の第１実施形態の軸測図である。
【図１１】本発明に従うモジュール式構造の第２実施形態の第１部分についての軸測図である。
【図１２】図１１の部分についての分解図の軸測図である。
【図１３】本発明に従うモジュール式構造の第１実施形態の第２部分についての分解図の軸測図である。
【図１４】本発明に従うモジュール式構造の第１実施形態の第３部分についての軸測図である。
【図１５】図１４の部分についての分解図の軸測図である。
【図１６】本発明に従うモジュール式構造の第２実施形態の第２部分についての軸測図である。
【図１７】本発明に従うモジュール式構造の第１実施形態の第４部分についての軸測図である。
【図１８】図１７の部分についての分解図の軸測図である。
【発明を実施するための形態】
【００２０】
これらの図を具体的に参照すると、参照番号１は、棚用モジュール式構造を包括的に表している。
【００２１】
棚用モジュール式構造１は、
一方が他方の上部に配列され、第１連結平面Ａを画定する少なくとも１対の第１歯３を備える複数の鉛直支柱２と、
幅よりも高さが大きい、実質的に管状で平行六面体形状の断面を備え、隅角部、及び隅角部近傍内に突出して互いに重塁した状態で配列された１対の第１クランプ固定要素６を備える２つの終端部分５を備える複数の第１金属形材４と、を備える。
【００２２】
第１クランプ固定要素６は、互いに離間し、第１連結平面Ａに沿ったいずれか１対の第１歯３を上部から下部まで係合するためにブロック構成で結合されるように構成されることにより、モジュール式構造及び／又は類似の構造を製作し、それぞれの第１クランプ固定要素６は、通過スロットを画定するループを備え、第１金属形材４の終端部分５のそれぞれは、実質的に平坦である。
【００２３】
鉛直支柱２は、鉛直位置に配列されて、安定面上、例えば、地面上で静止し、そして、高さの長手方向に延在して、モジュール式構造１を作成する全ての要素がその上で静止している基部を形成する。
【００２４】
有利には、第１歯３は、実質的に平坦なホイル部分であり、鉛直支柱２の本体を作成するのと同じホイルでできている。
【００２５】
それに加えて、第１歯３は、実質的に台形形状を有し、鉛直支柱２の鉛直延長部全体に沿って一方が他方の上部に配列されて、一連の同一フックを形成し、当該フックのそれぞれが、対応する第１クランプ固定要素６のループを通過するように上方に回転させられる。
【００２６】
有利には、第１クランプ固定要素６は、ホイル部分であり、対応するループを画定するために形状が実質的に湾曲しており、そして、第１金属形材４の本体を形成するのと同じホイルでできている。
【００２７】
鉛直支柱２は、鉛直金属形材７を備え、当該鉛直金属形材は、少なくとも１対の第１鉛直面８と、互いに実質的に平行で、１対の第１鉛直面８を横断する少なくとも１対の第２鉛直面９と、を備えており、少なくとも１対の第１歯３は、第１鉛直面８のうちの少なくとも１つに沿って鉛直方向に配列されている。
【００２８】
有利には、第１鉛直面８は、互いに実質的に同一平面に配列され、そして、それぞれ、第２鉛直面９のうちの１つに隣接し直交して関連している。
【００２９】
鉛直金属形材７は、そのため、実質的にＴ形状の断面を備える。
【００３０】
更に、それぞれの第１鉛直面８に沿って、複数対の第１歯３が、図１に示すようにされている。
【００３１】
複数の第１金属形材４が、それぞれの第１鉛直面８に取り付けられてもよい。
【００３２】
より正確には、それぞれの第１金属形材４のそれぞれの終端部分５は、それぞれ、２つの別個の鉛直金属形材７の第１鉛直面８に取り付けられて、２つの鉛直支柱２の間に分岐横材を実質的に形成する。
【００３３】
モジュール式構造１は、第１ブレース要素１０を備え、当該第１ブレース要素は、
幅よりも高さが大きい断面、及び鉛直金属形材７に取り付けられるべき少なくとも１対の実質的に平坦な終端部分１２を備える少なくとも１つの第３長手及び管状金属形材１１と、
１対の第２鉛直面９への終端部分１２の第１締結手段１３と、を備える。
【００３４】
有利には、第１ブレース要素１０の断面は、実質的に円形形状であり、そして、終端部分１２は、鉛直支柱２の第２鉛直面９同士の間に嵌合するように実質的に平坦であることにより、第１締結手段１３によって鉛直金属形材７に締結される。
【００３５】
更に詳細には、第１締結手段１３は、終端部分１２にそれぞれ形成された２つの第１孔と、第２鉛直面９の鉛直延長部全体に沿って、一方が他方の上部に連続して得られた複数の第２孔と、を備える。
【００３６】
第２鉛直面９に形成されたそれぞれの第２孔は、他方の第２鉛直面９に形成された別の第２孔に実質的に面し、同心で対向している。
【００３７】
このように、それぞれの終端部分１２の第１孔は、１対の第２孔の間に実質的に同心で挿入され、そして、第１締結手段１３によって鉛直支柱２に締結される。
【００３８】
第１締結手段１３は、それぞれが１対の第２孔及び対応する第１孔を通過する複数のネジと、それぞれが対応するネジにねじ込まれて、終端部分１２を１対の第２鉛直面９と一緒に締結する複数のナットと、を備える。
【００３９】
有利には、それぞれの第１ブレース要素１０のそれぞれの終端部分１２は、鉛直支柱２の対応する１対の第２鉛直面９に取り付けられる。
【００４０】
それに加えて、第２孔が鉛直支柱２の長さ全体に沿って作成されているので、第１ブレース要素１０は、必要に応じて異なる位置にある第２鉛直面９に取り付けられてもよい。
【００４１】
更に詳細には、それぞれの第１ブレース要素１０は、第１連結平面Ａを実質的に横断し、それぞれの第１金属形材４に直交し、それで、鉛直支柱２、第１金属形材４、及びブレース要素１０が変形させられて、モジュール式構造１自体の信頼性を棄損することがなく、可変の構造荷重を着実に支持することができる実質的に安定したモジュール式構造１を形成する。
【００４２】
モジュール式構造１は、図１に表すように、複数の第１金属形材４がその間に挿入されている４つの鉛直支柱２によって安定状態にされてもよく、当該複数の第１金属形材は、それぞれの第１連結平面Ａにおいて互いに実質的に対向して平行に配列され、そして、複数の第１ブレース要素１０は、実質的に第１連結平面Ａを横断している。
【００４３】
このようにして得られたモジュール式構造１において、第１金属形材４同士の間に載る複数の天板が装着されて、例えば、棚を形成するように鉛直支柱２の間に挿入された複数の支持面を提供してもよい。
【００４４】
本発明に従うモジュール式構造によって作成された棚は、鉛直支柱２による支持で安定状態のままであってもよく、当該鉛直支柱は、第１金属形材４及び第１ブレース要素１０とともに動作して、たとえ第１ブレース要素１０が支持面に置かれた荷重による牽引及び／又は捩じりを受ける場合でも、棚に安定性を与える。
【００４５】
モジュール式構造１は、また、少なくとも１つの第１角形ブラケット１４を備え、当該第１角形ブラケットは、
突出する状態で互いに重塁した状態で配列されている１対の第２クランプ固定要素１６を備える少なくとも１つの第１平坦端末部分１５であって、第２クランプ固定要素１６は、互いに離間し、第１連結平面Ａに沿ったいずれか１対の第１歯３を上部から下部まで係合するためのブロック構成で結合されるように構成されている、少なくとも１つの第１平坦端末部分１５と、
第１連結平面Ａに実質的に直交する第２連結平面Ｂを画定するように、一方が他方の上部に順に配列された１対の第２歯１８を備える少なくとも１つの第２平坦端末部分１７と、を備える。
【００４６】
第１クランプ固定要素６は、第２連結平面Ｂに沿ったいずれか１対の第２歯１８を上部から下部まで係合するためのブロック構成で結合されるように構成されている。
【００４７】
有利には、第２クランプ固定要素１６は、第１クランプ固定要素６に対して形状及びサイズが実質的に同一であり、一方、１対の第２歯１８は、１対の２つの実質的に同一のホイル部分であり、そして、第１角形ブラケット１４の本体がそれから作成されているのと同じホイルから実質的に形成されている。
【００４８】
特に、第２歯１８は、実質的に平坦な形状を有し、第２端末部分１７に対して実質的に同一平面上にある１対のフックを実質的に形成する２つの湾曲ホイル部分である。
【００４９】
有利には、第１角形ブラケット１４は、第１端末部分１５と第２端末部分１７との間に介在する角形部分１９を備える。
【００５０】
具体的には、角形部分１９は、ホイル部分であり、当該ホイル部分は、互いに実質的に９０°で屈曲し、それぞれ第１端末部分１５及び第２端末部分１７と関連する２つの平坦拡張部を備える。
【００５１】
便利には、図６に表すように、２つの平坦拡張部が、形状が実質的に平坦であることにより、鉛直支柱２の本体を支持して面し、そして、第２端末部分１７を、第１端末部分１５が取り付けられるところに対して鉛直金属形材７の実質的に反対側の側面上に配列する。
【００５２】
好ましくは、第１角形ブラケット１４は、平坦で細長い形状を有する、第２端末部分１７上に配列された第１解放防止タブ６７を備える。
【００５３】
第１タブ６７は、第２連結平面Ｂを実質的に横断する平面に沿って第２歯１８の間に配列されている。
【００５４】
有利には、第１角形ブラケット１４は、第２端末部分１７と第１タブ６７との間に挿入されている弱められた直線拡張部を備える。
【００５５】
このように、第１タブは、第１角形ブラケット１４の弱められた直線拡張部に沿って手動で回転させられてもよい。
【００５６】
モジュール式構造１は、また、少なくとも１つの第２角形ブラケット２０を備え、当該第２角形ブラケットは、
第１金属形材４に対する取付け手段２１であって、第１金属形材４に沿って長手方向に滑動する取付け手段２１と、
第１連結平面Ａに実質的に直交する第３連結平面Ｃを画定するように、一方が他方の上部に順に配列された少なくとも１対の第３歯２２と、を備える。
【００５７】
第１クランプ固定要素６は、第３連結平面Ｃに沿ったいずれか１対の第３歯２２を上部から下部まで係合するためのブロック構成で結合されるように構成されている。
【００５８】
好ましくは、取付け手段２１は、２つの実質的に反対側の側面フィンであって、互いに面し、平坦なホイル部分に実質的に直交する側面フィンを備える平坦ホイル部分を備える。
【００５９】
有利には、側面フィンのうちの１つは、第１金属形材４の本体上に取り付くように適合された取付け拡張部を備える。
【００６０】
側面フィンは、平坦なホイル部分と連携して動作して、取付け手段２１に、第１金属形材４を多様な方式で少なくとも部分的に嵌合するように適合された実質的にＣ形状の断面を与える。
【００６１】
第１金属形材４は、実際、取付け手段２１の拡張部に取り付けられる長手溝２３を備える。
【００６２】
有利には、長手溝２３は、第１金属形材４に沿って長手方向に滑動する取付け拡張部をガイドすることを可能にする。
【００６３】
このように、第２角形ブラケット２０は、第１金属形材４に取り付けられ、同時に、第１金属形材４の長さ全体に実質的に沿って長手方向に滑動してもよい。
【００６４】
便利には、第３歯２２は、第２歯１８と実質的に同一であり、取付け手段２１の平坦ホイル部分に直交して関連しており、それにより、角形ブラケット２０の滑動方向に実質的に直交する第３連結平面Ｃを画定する。
【００６５】
好ましくは、第２角形ブラケット２０は、平坦で細長い形状を有する、取付け手段２１に配列された第２解放防止タブ６８を備える。
【００６６】
具体的には、第２タブ６８は、第３連結平面Ｃを実質的に横断する平面に沿って第３歯２２の間に配列されている。
【００６７】
有利には、角形ブラケット２０は、取付け手段２１と第２タブ６８との間に挿入されている弱められた直線拡張部を備える。
【００６８】
このように、第２タブ６８は、第２角形ブラケット２０の弱められた直線拡張部に沿って手動で回転させられてもよい。
【００６９】
モジュール式構造１は、また、滑動支持２４を備え、当該滑動支持は、
１対の鉛直支柱２にそれぞれ取り付けられる少なくとも１つの被固定要素２５と、
対応する１対の鉛直支柱２への被固定要素２５の少なくとも１対の取付けブラケット２６であって、突出する状態で互いに重塁した状態で配列された少なくとも１対の第３クランプ固定要素２８を備えた少なくとも１つの平坦端末本体２７を備える少なくとも１対の取付けブラケット２６と、
取付けブラケット２６への要素２５のクランプ固定手段２９と、
被固定要素２５まで長手方向に滑動するようにヒンジ接続され、少なくとも１つの支持部材３１と関連可能な少なくとも１つの滑動要素３０と、を備える。
【００７０】
第３クランプ要素２８は、互いに離間し、そして、第１連結平面Ａに沿ったいずれか１対の第１歯３を上部から下部まで係合するためのブロック構成で結合されるように構成されている。
【００７１】
好ましくは、被固定要素２５と滑動要素３０とは、互いに対して滑動する２つのヒンジ接続された長手方向の金属横材であり、１対の取付けブラケット２６によって２つの鉛直支柱２の間に実質的に水平に配列されることができる。
【００７２】
有利には、滑動支持２４は、被固定要素２５上に形成された第１長手ガイドと、滑動要素３０上に形成され、第１長手ガイド内部に多面的に挿入可能である第２長手ガイドと、第１と第２長手ガイドとの間に挿入され、被固定要素２５及び一方の他方に対する滑動を可能にする滑動要素３０のうちの少なくとも１つの牽引の影響下で回転する複数の小さいボールと、を備える。
【００７３】
代替の実施形態が除外されてはならず、被固定要素２５に対する滑動要素３０の滑動が、異なる方式で、例えば、ボール・ベアリングによって実装される。
【００７４】
有利には、それぞれの取付けブラケット２６は、端末本体２７と９０°の角度を形成するように端末本体２７と隣接して実質的に直交して関連し、クランプ固定手段２９によって被固定要素２５に取り付けられるように適合されている平坦部分を備える。
【００７５】
クランプ固定手段２９は、それぞれ、それぞれの取付けブラケット２６の平坦部分上に形成された第１スロットと、被固定要素２５の終端部分に形成された１対の第２スロットと、を備える。
【００７６】
それに加えて、クランプ固定手段２９は、複数のネジであって、それぞれが第１スロット及び第２スロットを通過している複数のネジと、１対の取付けブラケット２６に被固定要素２５を係止するためのそれぞれのネジにネジ止め可能な複数のナットと、を備える。
【００７７】
本発明に従うモジュール式構造１は、また、少なくとも１つの安定化バー３２を備え、当該安定化バーは、
幅よりも高さが大きい断面、及び１対の終端部分を備えた少なくとも１つの第２長手金属形材３３と、
少なくとも１対の鉛直ブラケット３４であって、それぞれ第２終端部分のうちの１つと関連し、第２金属形材３３よりも実質的に高さがより大きく、突出する状態で互いに重畳した状態で配列された複数の第４クランプ固定要素３５を備える少なくとも１対の鉛直ブラケット３４と、を備える。
【００７８】
第４クランプ固定要素３５は、互いに離間し、そして、第１連結平面Ａに沿って複数の第１歯３を上部から下部まで係合するためのブロック構成で結合されるように構成されている。
【００７９】
好ましくは、第２金属形材３３は、２つの鉛直支柱２の間に取り付くことにより、モジュール式構造１の安定性を増加させるように適合された金属管状要素である。
【００８０】
有利にも、鉛直ブラケット３４は、第２金属形材３３に実質的に直交し、それぞれ鉛直支柱２の第１鉛直面８に面することにより、第４クランプ固定要素３５を第１歯３に取り付ける平坦ホイルである。
【００８１】
具体的には、それぞれの鉛直ブラケット３４が、複数対の第４クランプ固定要素３５を備え、それにより、２対以上の第１歯３に取り付けられるようになり、そして、第１金属形材４によって確保された部分に対してそれぞれの鉛直支柱２のより広い部分を確保して、モジュール式構造１により大きい安定性を保証する。
【００８２】
モジュール式構造１は、また、長手腕木３６を備え、当該長手腕木は、
幅よりも高さが大きい断面を有し、鉛直支柱２のうちの１つとそれぞれ関連する１対の最端部分３８を備える少なくとも１つの第４金属形材３７と、
最端部分３８のうちの１つの連結部分４０、及び突出する状態で互いに重畳した状態で配列された複数の第５クランプ固定要素４１を備える少なくとも１つの補強ブラケット３９と、を備える。
【００８３】
第５クランプ固定要素４１は、互いに離間し、そして、第１連結平面Ａに沿った複数の第１歯３を上部から下部まで係合するためのブロック構成で結合されるように構成されている。
【００８４】
好ましくは、第４金属形材３７は、その形状が第１金属形材４のものに実質的に等しい長方形断面を有する管であるけれども、それらの寸法は、第１金属形材４よりも実質的により大きい。
【００８５】
更に、補強ブラケット３９は、互いに平行で対向する第１対の第１長手側面４２と、第１長手側面４２に隣接して実質的に直交して関連することにより、それらのそれぞれと９０°の角度を形成する第２長手側面４３と、を備える。
【００８６】
有利には、補強ブラケット３９は、第１長手側面４２のうちの１つに沿って長手方向に配列された複数対の第５クランプ固定要素４１を備える。
【００８７】
このように、鉛直支柱２への補強ブラケット３９の取付けは、２対以上の取付け点によって達成されることにより、第４金属形材３７を支持しなければならない補強ブラケット３９の容量を増加させる。
【００８８】
それに加えて、第５クランプ固定要素４１が、対応する第１歯３に結合されると、第２長手側面４３は、鉛直支柱２の第２鉛直面９に支持状態で面していることにより、補強ブラケット３９の容量を更に増加させる。
【００８９】
実際、第２長手側面４３は、第１長手側面４２に対して実質的に同じ高さのものであり、それで、それは、補強ブラケット３９の第２鉛直面９上に作用する荷重の一部を除荷することにより、第１歯３に作用する荷重を軽減する。
【００９０】
好ましくは、連結部分４０は、１対の平坦部材を備え、当該平坦部材は、互いに実質的に平行で対向し、それぞれ第１長手側面４２と関連し、そして、第４金属形材３７に取り付くように適合されたそれぞれの金属突起を備える。
【００９１】
有利には、第４金属形材３７は、１対のインサートを備え、当該インサートは、それぞれの最端部分３８において互いに実質的に対向して平行であるように達成される。
【００９２】
更に、平坦部材は、第４金属形材３７の断面の高さよりも実質的により低い高さを有することにより、最端部分３８内部に嵌合してもよい。
【００９３】
具体的には、平坦部材が第４金属形材３７中に嵌合されると、金属突起は、対応する陥凹内部に連結される。
【００９４】
それに加えて、金属突起が、最端部分３８に連結部分４０をリベット留めするための冷間変形プロセスを受けることにより、補強ブラケット３９と第４金属形材３７との間の連結を実現する。
【００９５】
冷間リベット留めプロセスは、従来の熱間リベット留め及び／又は溶接プロセスと異なり、補強ブラケット３９と第４金属形材３７との間の連結に感知可能な美的外観を与える。
【００９６】
モジュール式構造１は、また、安定支持面上に鉛直金属形材７を支持するための少なくとも１つの振動防止基部４４を備え、当該振動防止基部は、
少なくとも１対の鉛直拡張部４５であって、それぞれの１つが、突出する状態で互いに重塁した状態で配列された１対の第６クランプ固定要素４６を備える、少なくとも１対の鉛直拡張部４５と、
複数対の第６クランプ固定要素４６が、それぞれ１対の第１歯３に結合されるとき、安定支持面上で静止する少なくとも１つの第１支持部分４７と、
振動防止基部４４を鉛直金属形材７に接続するための第１接続手段４８と、を備える。
【００９７】
それぞれの対の鉛直拡張部４５の第６クランプ固定要素４６は、第１連結平面Ａに沿ったいずれか１対の第１歯３を上部から下部まで係合するためのブロック構成で結合されるように互いに離間している。
【００９８】
好ましくは、振動防止基部４４は、金属ホイルであり、当該金属ホイルは、互いに実質的に平行で対向した１対の補助鉛直拡張部４９を備え、そして、鉛直拡張部４５にそれぞれ隣接して実質的に直交して配列されることにより、それぞれ鉛直拡張部４５と９０°の２つの角度を形成する。
【００９９】
このように、第６クランプ固定要素４６が、対応する第１歯３に取り付けられ、鉛直拡張部４５が、鉛直金属形材７の第１鉛直面８に静止して面しているとき、補助鉛直拡張部は、第２鉛直面９に静止して面している。
【０１００】
有利には、第１接続手段４８は、補助鉛直拡張部４９に取得された４つの第１開口部と、複数のネジと、対応するネジに締め付けられて、第２鉛直面９の第２孔を振動防止基部４４の第１開口部に接続することができる複数のナットと、を備える。
【０１０１】
具体的には、それぞれのネジが、１対の第１開口部を通過し、１対の第２孔を通過し、そして対応するナットによって固定される。
【０１０２】
同じ補助拡張部４９の２つの第１開口部の間の距離が、同じ第２鉛直面９の２つの第２孔の間の距離と実質的に同一であることにより、複数対の第１開口部を複数対の第２孔と互いに実質的に同心であるように直面させる。
【０１０３】
本発明の動作は、次の通りである。
【０１０４】
モジュール式構造１は、説明した要素を用いる様々なタイプの棚を製作することを可能にする。
【０１０５】
具体的には、モジュール式構造１は、図１に表すように、複数の第１金属形材４及び複数の第１ブレース要素１０によって、安定態様で互いに取り付けられた複数の鉛直支柱２を用いることによって、安定支持面上で静止する。
【０１０６】
便利には、モジュール式構造１は、互いに結合された複数の第１角形ブラケット１４と複数の第２角形ブラケット２０との使用を想定することにより、１つ又は複数の角形棚が取得される、すなわち、棚の支持面が、９０°の角度を画定するために互いに隣接して実質的に直交して配列された２つの平坦支持部分から構成されている。
【０１０７】
第１角形ブラケット１４は、第２連結平面Ｂに沿って第１金属形材４を配列することを可能にし、そして、第２角形ブラケット２０は、第３連結平面Ｃに沿って別の第１金属形材４を配列することを可能にすることにより、図６に示すような角形棚を作成する。
【０１０８】
具体的には、第１金属形材４が、１対の第１歯３と１対の第１クランプ固定要素６とを結合することによって、第１連結平面Ａに沿って鉛直支柱２に取り付けられる。
【０１０９】
第２角形ブラケット２０は、第１金属形材４に取り付けられ、当該第１金属形材に別の第１金属形材４が取り付けられる。最初の取付けが、取付け手段２１を介して行なわれ、次の取付けが、第３歯２２及び第１クランプ固定要素６を介して行なわれる。
【０１１０】
第１角形ブラケット１４は、鉛直支柱２に取り付けられ、当該鉛直支柱に追加の第１金属形材４が取り付けられる。最初の取付けが、別の１対の第１歯３と１対の第２クランプ固定要素１６との間の結合を介して行なわれ、次の取付けが、１対の第２歯１８及び別の１対の第１クランプ固定要素６を介して行なわれる。
【０１１１】
特に、角形棚を作成するために用いられる２対の第１歯３は、実質的に同じ高さに配列される、すなわち、それらは、鉛直支柱２の２つの第１鉛直面８上にそれぞれ配列されることにより、第１金属形材４が、実質的に同じ高さに配列される。
【０１１２】
有利には、第２歯１８に取り付けられた第１クランプ固定要素６によって、第１タブ６７は、それが連結平面Ｂと同一平面上に配列されるまで、第１角形ブラケット１４の弱められた直線の周りでユーザによって手動で回転させられる。
【０１１３】
第１タブ６７は、第１下側クランプ固定要素６が、対応する第２歯１８から解放するために移動しなければならない経路に沿って正確に配列される。
【０１１４】
このように、第１タブ６７は、第１金属形材４が第１角形ブラケット１４から解放されることを防止する。
【０１１５】
第１角形ブラケット１４に関して説明されたことが、また、第２角形ブラケット２０にも適用され、当該第２角形ブラケットにおいて、第２タブ６８が、第３連結平面Ｃと同一平面上に配列されることにより、第１クランプ固定要素６が第３歯２２から解放されることを防止する。
【０１１６】
有利には、モジュール式構造１が、複数の滑動支持２４を用いることを想定する。第１滑動支持２４は、１対の取付けブラケット２６によって第１対の鉛直支柱２に取り付けられる。
【０１１７】
それぞれのブラケット２６及び支柱２に対して、取付けが、１対の第１歯３に１対の第３クランプ固定要素２８を結合することによって行なわれることにより、被固定要素２５及び滑動要素３０を安定位置に、２つの支柱２に実質的に直交して配列する。
【０１１８】
同様に、別の滑動支持２４が、第１滑動支持２４に実質的に平行に対向して別の１対の鉛直支柱２に取り付けられる。
【０１１９】
このように構成されたモジュール式構造は、支持部材３１、例えば、引出し等を２つの滑動支持２４の間に関連付けることを可能にする。
【０１２０】
それに加えて、複数の滑動引出しを備えるモジュール式構造１を製作することが可能であり、当該滑動引出しは、鉛直支柱２に沿って一方が異なる高さの他方の上部に配列され、それによって引出しユニットを形成する。
【０１２１】
本発明に従うモジュール式構造は、また、必要に応じて棚の安定性及び容量を増加させることを可能にする。
【０１２２】
便利には、２つの鉛直支柱２の間に複数の安定化バー３２を取り付けることが可能であり、この場合、取付けが、それぞれ複数の第４クランプ固定要素３５と複数の第１歯３との間で行なわれる。
【０１２３】
このように、安定化バー３２は、２つの鉛直支柱２のより広い部分を第１金属形材４によって取り付けられた部分に対して取り付けて、構造により大きい安定性を与える。
【０１２４】
モジュール式構造１の安定性及び容量を増加させることを可能にする更なる解決策は、
複数の長手腕木３６を用いることにある。
【０１２５】
有利には、第４金属形材３７が１対の鉛直支柱２の間に挿入されることにより、支持フレーム１を形成し、そこで、例えば、第１金属形材４について説明されたのと同様に、複数の支持平面に取り付くことを可能にする。
【０１２６】
特に、第４金属形材３７の２つの最端部分３８は、対応する鉛直支柱２に取り付けられているそれぞれの補強ブラケット３９に取り付けられる。
【０１２７】
最初の取付けは、冷間リベット留めプロセスによって行なわれるけれども、次の取付けは、複数の第５のクランプ固定要素４１と複数の第１歯３との間で行なわれる。
【０１２８】
このようにして得られたモジュール式構造１は、容量及び更なる安定性を保証し、その理由は、第４金属形材３７の寸法及び補強ブラケット３９の形状は、第１金属形材４によって得られたそれらの支持面よりも大きい荷重を支持できる複数の支持面を製作することを可能にするからである。
【０１２９】
安定性の増加のための更なる解決策は、振動防止基部４４をそれぞれの鉛直支柱２の端末部分に取り付けることである。
【０１３０】
このように、振動防止基部は、安定支持面２に関連してモジュール式構造１の安定性と同様に支柱２の支持基部を増加させる。
【０１３１】
モジュール式構造１の第２実施形態が、図９に表されている。
【０１３２】
鉛直支柱２は、鉛直金属ホイル５０を備え、当該鉛直金属ホイルは、少なくとも１対の第１鉛直面５１と、１対の第１鉛直面５１を実質的に横断する少なくとも１つの第２鉛直面５２と、を備え、少なくとも１対の第１歯３が、第１鉛直面５１のうちの少なくとも１つに沿って鉛直方向に配列されている。
【０１３３】
好ましくは、鉛直支柱２は、実質的にそれ自体の上に長手方向に折り畳まれた金属ホイルであり、第２鉛直面５２は、２つの第１鉛直面５１に隣接して実質的に直交して関連付けられている。
【０１３４】
第１面５１は、互いに実質的に同一平面上に配列され、そして、第２面５２と共に金属ホイル５０を実質的にＴ形断面にする。
【０１３５】
更に、図９に表すように、それぞれの第１鉛直面５１上で、複数対の第１歯３が取得される。このように、複数の第１金属形材４が、それぞれの第１鉛直面５１に取り付けられてもよい。
【０１３６】
特に、それぞれの第１金属形材４のそれぞれの第１終端部分５が、対応する第１鉛直面５１に取り付けられて、２つの鉛直支柱２の間に分岐横材を形成する。
【０１３７】
更に、モジュール式構造１は、
少なくとも１つの実質的に平坦な長手金属ホイル５４を備え、少なくとも１つの、幅よりも高さが大きい断面及び鉛直金属ホイル５０に取り付けられるべき少なくとも１対の取付け終端部分５５を備える少なくとも１つの第２ブレース要素５３と、
第２鉛直面５２への取付け終端部分５５の第２締結手段５６と、を備える。
【０１３８】
好ましくは、第２ブレース要素５３が、それの取付け終端部分５５が実質的に平坦である金属ホイルであることにより、第２鉛直面５２に静止して直面し、第２締結手段５６によって鉛直支柱２上に取り付けられる。
【０１３９】
便利には、第２締結手段５６は、第２鉛直面５２の両方の面に沿って一方が他方の上部に連続している複数対のピンと、ブレース要素５３のそれぞれの取付け終端部分５５上に得られた１対の空洞と、を備える。
【０１４０】
具体的には、第２鉛直面５２の１つの面上に形成された第１対のピンは、第２対の実質的に対向した、第２鉛直面５２の他方の面上に形成されたピンに対応する。
【０１４１】
第２鉛直面５２上に作成された１対のピンの間の距離は、取付け終端部分５５に得られた１対の空洞の間の距離に実質的に等しい。
【０１４２】
このように、１対のピンが、それぞれ空洞対内に連結することにより、第２ブレース要素５３をしっかりと鉛直支柱２に取り付けてもよい。
【０１４３】
特に、第２ブレース要素５３は、２つの支柱２の間に取り付けられた状態で配列され、当該２つの支柱２は、第１連結平面Ａを実質的に横断して分岐横材を形成し、当該分岐横材は、第１金属形材４によって形成された横材と共に、本発明に従うモジュール式構造を作成する。
【０１４４】
モジュール式構造１は、また、安定した支持面上に鉛直金属ホイル５０を支持するための少なくとも１つの支持基部５７を備え、当該支持基部は、
第２鉛直面５２に取り付けられるべき第１長手本体５９、及び第１長手本体５９と関連し、安定支持面上で静止するように適合された第１支持面６０を備える第１要素５８と、
第２鉛直面５２に取り付けられるべき第２長手本体６２、及び第２長手本体６２と関連し、安定支持面上で静止するように適合された第２支持面６３を備える第２要素６１と、
第１長手本体５９及び第２長手本体６２のうちの少なくとも１つの、第２鉛直面５２への第２接続手段６４と、を備える。
【０１４５】
２つの支持面６０及び６３は、２つの長手本体５９及び６２が第２鉛直面５２に接続されると、安定支持面上で静止する。
【０１４６】
好ましくは、第１長手本体５９及び第１支持本体が、実質的に平坦な形状のものであり、長手本体５９は、第１支持面６０に隣接して実質的に直交して関連していることにより、それと９０°の角度を形成し、第１要素５８の断面を実質的に「Ｌ」形状にする。
【０１４７】
第２長手本体６２及び第２支持本体６３が、実質的に平坦な形状のものでもあり、長手本体６２は、第２支持面６３に隣接して実質的に直交して関連することにより、それと９０°の角度を形成し、第２要素６１の断面を実質的に「Ｌ」形状にする。
【０１４８】
有利には、第１要素５８と第２要素６１とは、実質的に同一の形状及び寸法を有する。
【０１４９】
好ましくは、第２接続手段６４が、複数の第２開口部を備え、当該第２開口部は、第１長手本体５９及び第２長手本体６２に沿って一方が他方の上部に長手方向にあるように形成される。
【０１５０】
具体的には、第１長手本体５９に作成された２つの第２開口部の間の距離は、第２長手本体６２に作成された２つの第２開口部の間の距離に等しく、また、第２鉛直面５２に作成された同じ対の２つのピンの間の距離に等しい。
【０１５１】
更に、第２長手本体６２に対向して平行であるようにされた第２開口部は、第１長手本体５９上に形成されたそれぞれの第２開口部に対応する。
【０１５２】
このように、第１長手本体５９と第２長手本体６２とは、実質的に同じ高さにおいて第２鉛直面５２のそれぞれの面に取り付けられることにより、第１支持面６０を第２支持面６３と実質的に同一平面上に配列する。
【０１５３】
有利には、第１長手本体５９と第２長手本体６２とは、鉛直支柱２の終端部分に配列された１対のピンによってクランプ固定されることにより、安定支持面に当接して静止する。
【０１５４】
図１７及び１８は、２つの長手本体５９及び６２の異なる実施形態を表し、当該長手本体は、モジュール式構造１の第１実施形態に対しても支持基部５７の使用を可能にする。
【０１５５】
第１長手本体５９は、一方が他方の上部に順に配列された複数の第６歯６５を備え、第２長手本体６２は、複数の第７クランプ固定要素６６を備え、当該第７クランプ固定要素は、突出して互いに重塁した状態で配列され、第６歯６５を係合するようにブロック構成で結合されるように互いに離間している。
【０１５６】
第１長手本体５９と第２長手本体６２とは、そのため、単一の本体を形成し、当該単一の本体は、第２接続手段６４によって１対の第２鉛直面９に取り付けられてもよい。
【０１５７】
支持面６０及び６３は、第６歯６５が第７クランプ固定要素６６に結合されると、安定支持面上で静止する。
【０１５８】
好ましくは、第６歯６５は、実質的に平坦な台形形状の金属ホイル部分であり、第１長手本体５９がそれを用いて作成されるのと同じホイルから形成される。
【０１５９】
有利には、第７クランプ固定要素６６は、第２長手本体６２がそれを用いて作成されるのと実質的に同じホイルから形成される金属ホイル部分であり、第１クランプ固定要素６に実質的に等しい形状のものであることにより、第６歯６５と連結することによって結合されるべき複数のループを形成する。
【０１６０】
具体的には、第１長手本体５９上に形成されたそれぞれの第６歯６５は、第６歯６５に実質的に対向し、第２長手本体６２上に形成される第７クランプ固定要素６６に対応する。
【０１６１】
それに加えて、第６歯６５が第７クランプ固定要素６６と結合されると、２つの長手本体５９と６２とは、互いに静止して面して配列されて、単一の長手本体を形成し、同時に、２つの支持面６０と６３とは、互いに実質的に同一平面上に配列され、それによって、２つの長手本体５９及び６２に実質的に直交する単一の支持本体を形成する。
【０１６２】
第１長手本体５９及び第２長手本体６２は、鉛直金属形材７内側に嵌合され、一方、第６歯６５及び第７クランプ固定要素６６は、鉛直金属形材７外側の第２鉛直面９付近に配列される。
【０１６３】
便利には、第２接続手段６４は、１対の第２孔を通過する複数のネジと、１対の第２開口部と、複数のナットと、を備え、当該ナットは、それぞれのネジに締められることにより、鉛直金属形材７の第２鉛直面９の間に２つの長手本体５９及び６２を係止してもよい。
【０１６４】
ちょうど説明した第２実施形態の動作は、第１の実施形態のそれに実質的に同一である。
【０１６５】
本発明に従うモジュール式構造の両方の実施形態は、複数の第１角形ブラケット１４と、複数の第２角形ブラケット２０と、複数の滑動支持２４と、複数の安定化バー３２と、複数の長手腕木３６と、を利用してもよい。
【０１６６】
説明された発明が意図された目的を達成することが、実際に分かった。
【０１６７】
特に、角形ブラケットの使用は、容易にアクセス可能で特に安定した角形棚を取得することを可能にする。
【０１６８】
それに加えて、滑動支持の使用は、既知の静止棚に代わるものとして、引出しユニット又は滑動容器を備えるモジュール式構造を製作することを可能にする。
【０１６９】
それに加えて、安定化バーの使用は、棚の容量及び安定性を標的にされた態様で増加させることを可能にし、当該棚の容量及び安定性は、荷重の関数として、本発明に従うモジュール式構造に基づいて獲得可能である。
【０１７０】
それに加えて、長手腕木の使用は、大きい容量及び安定性を有するモジュール式構造、並びに既知のタイプのものよりもとりわけ長い棚を製作することを可能にする。
【０１７１】
最後に、説明された様々な実施形態は、本発明に従うモジュール式構造に非常に大きい可撓性を提供することにより、それを様々な用途分野に対して使用可能にする。
【図１】
2021508305.tif 000003
【図２】
2021508305.tif 000004
【図３】
2021508305.tif 000005
【図４】
2021508305.tif 000006
【図５】
2021508305.tif 000007
【図６】
2021508305.tif 000008
【図７】
2021508305.tif 000009
【図８】
2021508305.tif 000010
【図９】
2021508305.tif 000011
【図１０】
2021508305.tif 000012
【図１１】
2021508305.tif 000013
【図１２】
2021508305.tif 000014
【図１３】
2021508305.tif 000015
【図１４】
2021508305.tif 000016
【図１５】
2021508305.tif 000017
【図１６】
2021508305.tif 000018
【図１７】
2021508305.tif 000019
【図１８】
2021508305.tif 000020
【国際調査報告】
2021508305.tif 000021
2021508305.tif 000022